(57)【要約】【課題】  安全性を確保しながら、低コスト化を実現できる太陽光発電システムを提供する。【解決手段】  一実施形態に係る太陽光発電システムは、複数の太陽電池アレイを含む太陽電池アレイ群を備える。前記太陽電池アレイ群の両端に位置する太陽電池アレイの少なくとも一方の太陽電池アレイの傾斜角は、前記太陽電池アレイ群のうちの他の太陽電池アレイの傾斜角よりも大きい。【選択図】図３
2015228736.tif 000002
【特許請求の範囲】
【請求項１】
複数の太陽電池アレイを含む太陽電池アレイ群を具備し、
前記太陽電池アレイ群の両端に位置する太陽電池アレイの少なくとも一方の太陽電池アレイの傾斜角は、前記太陽電池アレイ群のうちの他の太陽電池アレイの傾斜角よりも大きいことを特徴とする太陽光発電システム。
【請求項２】
前記少なくとも一方の太陽電池アレイは、前記太陽電池アレイ群の後端に位置する太陽電池アレイであることを特徴とする請求項１に記載の太陽光発電システム。
【請求項３】
前記複数の太陽電池アレイは南向きに設置され、前記少なくとも一方の太陽電池アレイは、前記太陽電池アレイ群の北端に位置する太陽電池アレイであることを特徴とする請求項１に記載の太陽光発電システム。
【請求項４】
前記少なくとも一方の太陽電池アレイの傾斜角は、１５°以上であることを特徴とする請求項１及至３のいずれか一項に記載の太陽光発電システム。
【請求項５】
前記少なくとも一方の太陽電池アレイと前記少なくとも一方の太陽電池アレイに隣接する太陽電池アレイとのピッチは、前記少なくとも一方の太陽電池アレイの最大高さの５．５倍以下であることを特徴とする請求項１及至４のいずれか一項に記載の太陽光発電システム。
【請求項６】
前記少なくとも一方の太陽電池アレイを支持する架台と、
前記架台を地面に固定する基礎と、
をさらに具備し、
前記基礎は、斜めに掘られた前記地面に設けられることを特徴とする請求項１乃至５のいずれか一項に記載の太陽光発電システム。
【請求項７】
前記少なくとも一方の太陽電池アレイを支持する架台と、
前記架台を地面に固定する基礎であって、幅方向に直交する断面形状が略台形状に形成されている基礎と、
をさらに具備する請求項１乃至５のいずれか一項に記載の太陽光発電システム。
【請求項８】
前記少なくとも一方の太陽電池アレイを支持する架台と、
前記架台を地面に固定する基礎と、
をさらに具備し、
前記少なくとも一方の太陽電池アレイは、前記他の太陽電池アレイの傾斜角と同じ角度で前記架台に支持される第１の太陽電池パネルと、前記他の太陽電池アレイの傾斜角より大きい角度で前記架台に支持される第２の太陽電池パネルと、を備えることを特徴とする請求項１乃至５のいずれか一項に記載の太陽光発電システム。
【請求項９】
前記複数の太陽電池アレイは、前方に位置するものほど幅が大きいことを特徴する請求項１乃至８のいずれか一項に記載の太陽光発電システム。
【発明の詳細な説明】
【技術分野】
【０００１】
本発明の実施形態は、大規模太陽光発電システムに関する。
【背景技術】
【０００２】
近年、環境問題への配慮から、太陽光を利用して発電する太陽光発電システムの導入が世界的に増加し、大規模太陽光発電システムを備えるメガソーラー発電所が世界各地に建設されている。太陽光発電システムでは、多数の太陽電池パネルを支持固定する架台（基礎を含む）が必要である。太陽光発電システムの総建設コストに占める架台に係るコスト（材料費及び工事費など）の割合は大きく、特に、太陽電池パネルを１万枚以上配置するような太陽光発電システムでは、その割合はますます大きくなる。そのため、架台の安全性を確保しつつ、架台に係るコストの削減が求められている。
【先行技術文献】
【特許文献】
【０００３】
【特許文献１】特開２００４−２２５２８０号公報
【特許文献２】特開２００３−１２４４９５号公報
【特許文献３】特開２０１１−１８１６７０号公報
【発明の概要】
【発明が解決しようとする課題】
【０００４】
本発明が解決しようとする課題は、安全性を確保しながら、低コスト化を実現することができる太陽光発電システムを提供することである。
【課題を解決するための手段】
【０００５】
一実施形態に係る太陽光発電システムは、複数の太陽電池アレイを含む太陽電池アレイ群を備える。前記太陽電池アレイ群の両端に位置する太陽電池アレイの少なくとも一方の太陽電池アレイの傾斜角は、前記太陽電池アレイ群のうちの他の太陽電池アレイの傾斜角よりも大きい。
【図面の簡単な説明】
【０００６】
【図１】一実施形態に係る太陽光発電システムを概略的に示す上面図。
【図２】図１に示した太陽光発電システムに含まれる１つの太陽電池アレイを概略的に示す側面図。
【図３】第１の実施形態の第１例に係る太陽光発電システムを概略的に示す側面図。
【図４】太陽電池アレイが３０°の傾斜角で設置された太陽電池アレイ群に後方から風が吹き付ける場合における風の流れに関するシミュレーション結果を示す図。
【図５】図４に示したシミュレーション結果を模式化して示す図。
【図６】太陽電池アレイが５°の傾斜角で設置された太陽電池アレイ群に後方から風が吹き付ける場合における風の流れに関するシミュレーション結果を示すコンター図。
【図７】太陽電池アレイが１０°の傾斜角で設置された太陽電池アレイ群に後方から風が吹き付ける場合における風の流れに関するシミュレーション結果を示すコンター図。
【図８】太陽電池アレイが１５°の傾斜角で設置された太陽電池アレイ群に後方から風が吹き付ける場合における風の流れに関するシミュレーション結果を示すコンター図。
【図９】図７に示したシミュレーション結果を模式化して示す図。
【図１０】障壁に吹き付ける風の流れをシミュレーションした結果を示すコンター図。
【図１１】第１の実施形態の第２例に係る太陽光発電システムを概略的に示す側面図。
【図１２】第１の実施形態の第３例に係る太陽光発電システムを概略的に示す側面図。
【図１３】他の太陽電池アレイの傾斜角より大きい傾斜角を有する太陽光発電アレイを実現する方法の一例を示す側面図。
【図１４】他の太陽電池アレイの傾斜角より大きい傾斜角を有する太陽光発電アレイを実現する方法の他の例を示す側面図。
【図１５】他の太陽電池アレイの傾斜角より大きい傾斜角を有する太陽光発電アレイを実現する方法のさらに他の例を示す側面図。
【図１６】他の実施形態に係る太陽光発電システムを概略的に示す上面図。
【図１７】第２の実施形態に係る太陽光発電システムを概略的に示す側面図。
【発明を実施するための形態】
【０００７】
以下、図面を参照しながら実施形態を説明する。以下の実施形態では、同一の構成要素に同一の参照符号を付して、重ねての説明を省略する。
【０００８】
（第１の実施形態）
図１は、第１の実施形態に係る太陽光発電システムを概略的に示す上面図である。図１に示される太陽光発電システムは、複数の太陽電池アレイ１１を含む太陽電池アレイ群１０を備える。図１の例では、太陽電池アレイ群１０は、６つの太陽電池アレイ１１−１〜１１−６を含み、これら太陽電池アレイ１１−１〜１１−６は、幅Ｗが等しく、それぞれの両端が揃った状態で間隔Ｌを空けて配置されている。ここで、幅Ｗは、太陽電池アレイ１１−１〜１１−６が配列される方向に直交する方向の寸法である。太陽電池アレイ１１−１〜１１−６の各々は、太陽光を電力に変換する複数の太陽電池パネル１２を備える。図１において、矩形ブロックの各々が１つの太陽電池パネル１２を示す。太陽電池アレイ１１−１〜１１−６の各々において、導電性の接続部材で接続された１０枚の太陽電池パネル１２が直線状に配置されている。
【０００９】
図２は、太陽電池アレイ１１−１〜１１−６のうちの１つの太陽電池アレイ１１を概略的に示す側面図である。図２に示されるように、太陽電池パネル１２は、架台２０によって支持されている。架台２０は、基礎３０によって地面Ｇに固定されている。架台２０は、太陽電池パネル１２を取り付けるための取付部２１、支柱２２、及び横部材２３を含む。取付部２１は、支柱２２により支持固定されている。支柱２２は、例えばアンカーボルトを用いて基礎３０に固定されるとともに、横部材２３により互いに結合されている。取付部２１は、例えば、フレーム状の支持台２４及びこの支持台２４に横架される取付桟２５を含む。取付桟２５には、ボルトを通すためのボルト孔が形成されている。太陽電池パネル１２の背面１４に取り付けられているフレームにもまた、ボルトを通すボルト孔が形成されている。太陽電池パネル１２のフレームのボルト孔と取付桟２５のボルト孔とを合わせた状態でこれらボルト孔にボルトを挿通してナットなどの係合部材で係合することにより、太陽電池パネル１２は架台２０に固定される。
【００１０】
一般に、太陽電池パネル１２は、発電効率の観点から、傾斜して設置される。例えば、日本などの北半球の高緯度地域では、太陽電池パネル１２は、受光面１３を南に向けて傾斜した状態で架台２０に固定される。すなわち、太陽電池アレイ１１は南向きに設置される。太陽電池アレイ１１の傾斜角、すなわち、水平面と太陽電池パネル１２の受光面１３とが成す角度（仰角）θは、設置場所の緯度及び環境などの様々な条件を考慮して決定される。
【００１１】
本実施形態では、太陽電池アレイ１１が南向きに設置される場合を想定する。ここでは、複数の太陽電池アレイ１１が配列される方向を前後方向と規定し、太陽電池アレイ１１の受光面１３が向けられる方向（本実施形態では南側）を前方とする。図１に示される例では、太陽電池アレイ１１−１〜１１−６は、太陽電池アレイ１１−１が太陽電池アレイ群１０の北端（後端）に位置し、さらに、太陽電池アレイ１１−６が太陽電池アレイ群１０の南端（前端）に位置するように、南北方向に並んで配列される。太陽電池アレイ１１−１〜１１−６の各々において、太陽電池パネル１２が配列されている方向は東西方向に対応する。
【００１２】
本実施形態に係る太陽光発電システムは、太陽電池アレイ群１０の両端に位置する太陽電池アレイ１１の少なくとも一方の太陽電池アレイ１１の傾斜角が太陽電池アレイ群１０のうちの他の太陽電池アレイ１１の傾斜角よりも大きくなるように、設計されている。ここで、太陽電池アレイ群１０の両端に位置する太陽電池アレイ１１は、太陽電池アレイ１１が配列される方向において最も外側に位置する太陽電池アレイ１１を指す。図１に示されるような太陽電池アレイ１１−１〜１１−６が南北方向に配置される例では、太陽電池アレイ群１０の両端に位置する太陽電池アレイ１１は、北端の太陽電池アレイ１１−１及び南端の太陽電池アレイ１１−６である。
【００１３】
日本では通常、架台は、日本工業規格によって制定された太陽電池アレイ用支持物設計標準（design guide on structures for photovoltaic array）であるＪＩＳ Ｃ８９５５（２００４）に準拠して設計される。ＪＩＳ Ｃ８９５５（２００４）では、太陽電池アレイ（太陽電池パネルを複数並べて配線したもの）の質量による固定荷重、風圧力による風荷重、太陽電池パネル表面に積もった雪による積雪荷重、及び地震力による地震荷重の４種類の荷重を想定した上で、架台を設計することが定められている。これらの荷重の組み合わせは設置環境により異なるが、風圧荷重は、多くの太陽光発電所で考慮しなければならない荷重である。ＪＩＳ Ｃ８９５５（２００４）では、風圧荷重は、下記式（１）に従って算出するとされている。
【００１４】
【数１】
2015228736.tif 000003
【００１５】
ここで、Ｗｐは風圧荷重（Ｎ）であり、Ｃｗは風力係数であり、ｑｐは、風速圧（Ｎ／ｍ２）であり、Ａｗは、受風面積（ｍ２）である。風力係数Ｃｗは、太陽電池アレイ１１を地上に設置する形態では、太陽電池アレイの傾斜角をパラメータとする近似式に従って算出される。風速圧ｑｐは、設置環境に応じて決定される。ＪＩＳ Ｃ８９５５（２００４）には、地上設置の形態において「架台が複数の場合には、周囲端部は近似式の値を、中央部は近似式の値の１／２を使用してもよい」と記載されている。ＪＩＳ Ｃ８９５５（２００４）には、周囲端部及び中央部の区分けについての明確な記載はない。何の防風対策も施さない場合には、安全性を考慮すると、例えば、図１に示される領域５１を中央部と見なすのが妥当である。本実施形態に係る太陽光発電システムでは、太陽電池アレイ群１０の両端に位置する太陽電池アレイ１１の少なくとも一方の傾斜角を大きくすることで、後述するような防風効果が得られる。このため、領域５１よりも広い領域５２を中央部と見なしたとしても安全性を確保することができる。領域５２には、例えば、太陽電池アレイ群１０の両端に位置する太陽電池アレイ１１−１及び１１−６を除いた太陽電池アレイ１１−２〜１１−５が含まれる。中央部と見なせる領域が広くなると、架台２０及び基礎３０を軽量化することができ、架台２０及び基礎３０に係るコストを低減することができる。
【００１６】
図３は、本実施形態の第１例に係る太陽光発電システムを概略的に示す側面図である。図３では、架台２０及び基礎３０が省略されている。図３に示される太陽光発電システムでは、太陽電池アレイ群１０は、南向きに設置されたＮ個の太陽電池アレイ１１−１〜１１−Ｎを含む。ここで、Ｎは３以上の整数である。北端の太陽電池アレイ１１−１及び南端の太陽電池アレイ１１−Ｎの傾斜角は、太陽電池アレイ群１０の中間部に配置された、すなわち、太陽電池アレイ１１−１と太陽電池アレイ１１−Ｎとの間に配置された太陽電池アレイ１１−２〜１１−（Ｎ−１）の傾斜角よりも大きい。典型的には、太陽電池アレイ１１−２〜１１−（Ｎ−１）の傾斜角は、互いに等しい。この場合、太陽電池アレイ１１−１〜１１−Ｎの傾斜角をθ１〜θＮと表すと、θ１＞θ２、θＮ＞θ２、θ２＝θ３＝・・・＝θＮ−１である。太陽電池アレイ１１−１の傾斜角θ１は、太陽電池アレイ１１−Ｎの傾斜角θＮと等しくてもよく、異なっていてもよい。
【００１７】
図４は、太陽電池アレイ１１が３０°の傾斜角で設置された太陽電池アレイ群１０に後方から横風が吹く場合における風の流れをシミュレーションした結果を示している。図５は、図４に示されるシミュレーション結果に基づく風の流れを模式的に示している。シミュレーションでは、架台２０及び基礎３０は風の流れに対する影響が小さいため考慮していない。図４及び図５に示されるように、風の流れは、後端の太陽電池アレイ１１−１によってせき止められ、風向きが変えられる。その結果、太陽電池アレイ１１−１の風下に広いよどみ領域６０が生じ、風が太陽電池アレイ１１−２に直接当たらなくなる。
【００１８】
図６、図７及び図８は、太陽電池アレイ１１の傾斜角が５°、１０°及び１５°である場合において、後方から太陽電池アレイ１１に吹き付ける風の流れをシミュレーションした結果を示している。図６、図７及び図８において、太陽電池アレイ１１の風下において２０ｍ／ｓの流速を示すコンターを破線によって強調して示している。破線の内側は、流速が２０ｍ／ｓ以下の領域である。図６、図７及び図８からは、両方向矢印で示されるように、太陽電池アレイ１１の風下において流速が比較的低い領域は、傾斜角が大きくなるにつれて広くなっていることがわかる。特に、傾斜角が１５°の場合、太陽電池アレイ１１による風の剥離が生じており、それにより、流速が低い領域は飛躍的に広くなっている。図９に、図７に示されるシミュレーション結果に基づく風の流れを模式的に示す。図９に示されるように、風の流れは、太陽電池アレイ１１−１によって充分にはせき止められず、風向きはわずかに変化する程度である。そのため、太陽電池アレイ１１の風下に生じるよどみ領域６０は小さく、風は太陽電池アレイ１１−２にも直接当たる。その結果、太陽電池アレイ１１−２に作用する風圧荷重は、太陽電池アレイ１１−１の風圧荷重の１／２以下にはならない。
【００１９】
図４、図６、図７及び図８に示されるシミュレーション結果からは、太陽電池アレイ１１の傾斜角が１５°以上であれば、この太陽電池アレイ１１の風下に位置する他の太陽電池アレイ１１に対する充分な防風効果が得られること、すなわち、風下に位置する他の太陽電池アレイ１１に作用する風圧を充分に低減できることがわかる。
【００２０】
図１０は、高さｈの障壁に吹き付ける風の流れをシミュレーションした結果を示している。このシミュレーションは、太陽電池アレイ１１の傾斜角を９０°とした場合に相当する。図１０からは、障壁から５．５×ｈの距離離れた付近まで太陽電池アレイによる防風効果が得られることがわかる。障壁の高さｈは、太陽電池アレイ１１の最大高さと見なすことができる。従って、端の太陽電池アレイ１１とこれに隣接する太陽電池アレイ１１との間のピッチは、端の太陽電池アレイ１１の最大高さの５．５倍以下とすることが望ましい。図３に示されるように、後端の太陽電池アレイ１１−１とこれに隣接する太陽電池アレイ１１−２との間のピッチは、太陽電池アレイ１１−１の後端（最大高さの位置に対応する）から太陽電池アレイ１１−２の後端までの水平方向の距離Ｌ１を指す。前端の太陽電池アレイ１１−Ｎとこれに隣接する太陽電池アレイ１１−（Ｎ−１）との間のピッチは、太陽電池アレイ１１−Ｎの後端（最大高さの位置に対応する）から太陽電池アレイ１１−（Ｎ−１）の前端までの水平方向の距離Ｌを指す。
【００２１】
図１１は、本実施形態の第２例に係る太陽光発電システムを概略的に示す側面図である。図１１では、架台２０及び基礎３０が省略されている。図１１に示される太陽光発電システムでは、太陽電池アレイ群１０は、南向きに設置されたＭ個の太陽電池アレイ１１−１〜１１−Ｍを含む。ここで、Ｍは２以上の整数である。南端の太陽電池アレイ１１−Ｍの傾斜角θＭは、太陽電池アレイ１１−１〜１１−（Ｍ−１）の傾斜角θ１〜θＭ−１よりも大きい。第２例では、典型的には、太陽電池アレイ１１−１〜１１−（Ｍ−１）の傾斜角θ１〜θＭ−１は互いに等しい。すなわち、θＭ＞θ１＝θ２＝・・・＝θＭ−１である。図１１に示される太陽光発電システムでは、南風が南端の太陽電池アレイ１１−Ｍによって効果的に遮られるので、太陽電池アレイ１１−１〜１１−（Ｍ−１）に作用する風圧を低減することができる。
【００２２】
図１２は、本実施形態の第３例に係る太陽光発電システムを概略的に示す側面図である。図１２では、架台２０及び基礎３０が省略されている。図１２に示される太陽光発電システムでは、太陽電池アレイ群１０は、南向きに設置されたＭ個の太陽電池アレイ１１−１〜１１−Ｍを含む。北端の太陽電池アレイ１１−１の傾斜角θ１は、太陽電池アレイ１１−２〜１１−（Ｍ−１）の傾斜角θ２〜θＭ−１よりも大きい。第３例では、典型的には、太陽電池アレイ１１−２〜１１−Ｍの傾斜角θ２〜θＭは互いに等しい。すなわち、θ１＞θ２＝θ３＝・・・＝θＭである。図１２に示される太陽光発電システムでは、北風が北端の太陽電池アレイ１１−１によって効果的に遮られるので、太陽電池アレイ１１−２〜１１−Ｍに作用する風圧を低減することができる。
【００２３】
一般に、太陽電池アレイ１１を傾斜して設置した場合、後方からの風は、前方からの風よりも太陽電池アレイ１１に大きな風圧を作用させる。このため、前端の太陽電池アレイ１１の傾斜角をより大きくする形態（第２例）よりも、後端の太陽電池アレイ１１の傾斜角をより大きくする形態（第３例）の方が好ましい。
【００２４】
太陽光発電システムの設置方法の１つに、太陽電池パネル、架台及び基礎を工場で組み立てて、組立品（太陽電池ユニットと称する）を設置場所まで運搬する方法がある。この方法を用いる場合、通常は、太陽電池パネルの傾斜角が異なる太陽電池ユニットを用意する。これに代えて、図１３に示されるように、地面Ｇを斜めに掘り、そこへ太陽電池パネルが通常の傾斜角で固定された太陽電池ユニットを設置することで、他の太陽電池アレイよりも大きい傾斜角で太陽電池アレイ１１を設置してもよい。他の例では、図１４に示されるように、太陽電池ユニットに、幅方向（東西方向）に直交する断面が略台形状に形成されている基礎３０を用いることで、他の太陽電池アレイよりも大きい傾斜角で太陽電池アレイ１１を設置してもよい。これらの例は、他の太陽電池アレイと同じ構造の架台２０を用いることができるという利点を有する。さらに他の例では、複数の太陽電池パネルを異なる傾斜角で架台に固定した太陽電池ユニットを用意する。具体的には、図１５に示されるように、太陽電池パネル１２Ｂを他の太陽電池アレイの傾斜角と同じ角度で架台２０に固定し、太陽電池パネル１２Ａを他の太陽電池アレイの傾斜角よりも大きい角度で架台２０に固定する。太陽電池パネル１２Ａは太陽電池パネル１２Ｂの後方側に位置し、太陽電池パネル１２Ａの下端が太陽電池パネル１２Ｂの上端に対向している。
【００２５】
なお、本実施形態に係る太陽光発電システムの配置は、図１に示される太陽電池アレイ１１の配置例に限定されない。例えば、太陽光発電システムは、図１６に示されるように、太陽電池アレイごとに幅が異なっていてもよい。より具体的には、太陽電池アレイ１１−２の幅が太陽電池アレイ１１−１の幅より大きく、太陽電池アレイ１１−３の幅が太陽電池アレイ１１−２の幅より大きいといったように、太陽電池アレイ１１の幅が前方（南側）のものほど大きい。これとは反対に、太陽電池アレイ１１の幅が前方（南側）のものほど小さくなっていてもよい。
【００２６】
以上のように、本実施形態に係る太陽光発電システムでは、太陽電池アレイ群の両端に位置する太陽電池アレイのうちの少なくとも一方の太陽電池アレイの傾斜角は、太陽電池アレイ群の他の太陽電池アレイの傾斜角より大きい。これにより、太陽電池アレイ群の中央部に位置する太陽電池アレイに作用する風圧が低減される。この結果、安全性を確保しながら、基礎及び架台の低コスト化を実現することができる。
【００２７】
（第２の実施形態）
図１７は、第２の実施形態に係る太陽光発電システムを概略的に示す側面図である。図１７では、架台及び基礎が省略されている。図１７に示される太陽光発電システムは、太陽電池アレイ群１０を備え、この太陽電池アレイ群１０は、南向きに配置されたＭ個の太陽電池アレイ１１−１〜１１−Ｍを含む。本実施形態に係る太陽光発電システムは、北端の太陽電池アレイ１１−１の傾斜角が他の太陽電池アレイ１１−２〜１１−Ｍの傾斜角よりも小さくなるように、設計されている。この設計では、太陽電池アレイ１１−１〜１１−Ｍに作用する風圧が均一化される。従って、太陽電池アレイ１１−１〜１１−Ｍの架台及び基礎の強度を均一にすることができ、全ての太陽電池アレイ１１−１〜１１−Ｍについて架台及び基礎の材料などを共通化することができる。その結果として、コストを低減することができる。
【００２８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００２９】
１０…太陽電池アレイ群、１１…太陽電池アレイ、１２…太陽電池パネル、１３…受光面、１４…背面、２０…架台、２１…取付部、２２…支柱、２３…横部材、２４…支持台、２５…取付桟、３０…基礎。
【図１】
2015228736.tif 000004
【図２】
2015228736.tif 000005
【図３】
2015228736.tif 000006
【図５】
2015228736.tif 000007
【図９】
2015228736.tif 000008
【図１１】
2015228736.tif 000009
【図１２】
2015228736.tif 000010
【図１３】
2015228736.tif 000011
【図１４】
2015228736.tif 000012
【図１５】
2015228736.tif 000013
【図１６】
2015228736.tif 000014
【図１７】
2015228736.tif 000015
【図４】
2015228736.tif 000016
【図６】
2015228736.tif 000017
【図７】
2015228736.tif 000018
【図８】
2015228736.tif 000019
【図１０】
2015228736.tif 000020